(57)【特許請求の範囲】
【請求項１】
挿着対象物の挿着孔に挿入される測温素子と、該測温素子から延長された補償導線を備える測温センサーであり、前記挿着孔に対して測温素子を外方に弾発付勢された弾性部材を介して挿脱自在に挿着する構成において、測温素子に遊転スリーブを回転自在に外挿せしめ、該遊転スリーブの外周に前記弾性部材を取付けて成ることを特徴とする測温センサーの保持装置。
【請求項２】
挿着対象物の挿着孔に挿入される測温素子と、該測温素子から延長された補償導線を備える測温センサーであり、前記挿着孔に対して測温素子を外方に弾発付勢された弾性部材を介して挿脱自在に挿着する構成において、測温素子に遊転スリーブを回転自在に外挿せしめ、該遊転スリーブの外周に前記弾性部材を取付けて成り、測温素子と遊転スリーブが相互に軸方向に移動することを防止するストッパーを設けて成ることを特徴とする測温センサーの保持装置。
【発明の詳細な説明】
【０００１】
【発明の属する技術分野】
本発明は、測温センサーの保持装置に関し、特に、各種金型等の挿着対象物に設けた挿着孔に対して測温センサーの測温素子を挿入保持するための装置に関する。
【０００２】
【従来の技術】
従来、ガラス製品や樹脂製品等を成形するための金型は、成形品の品質維持のため、測温センサーによる温度管理が行われている。通常、測温センサーは、シース熱電対から成る測温素子と、該測温素子から延長された補償導線を備えており、金型に形成した挿着孔に測温素子を挿入することにより、金型温度を連続的に測温する。
【０００３】
ところが、金型は、成形と離型を繰り返し行う際に激しく動くため、金型の挿着孔から測温センサーの測温素子が抜け落ちる問題がある。
【０００４】
このため、本出願人らは、先に特願平１０−３７８２０９号として、測温素子の外周に外方に弾発付勢された板ばね等の弾性部材を取付け、測温素子の挿着時に弾性部材を挿着孔の内周壁に対して圧接せしめることにより、測温センサーが金型の挿着孔から脱落することを防止できるようにした装置（以下従来装置という）を提案した。
【０００５】
【発明が解決しようとする課題】
然しながら、前述のように、測温センサーは測温素子から補償導線を長く延長せしめているため、金型が激しく動く際に補償導線が大きく揺れ動く。この点に関して、従来装置は弾性部材を構成する板ばねを測温素子の外周に溶接や銀ロウ等のロウ付けにより固着した構成であるから、補償導線が揺れ動くたびに測温素子に回転力が与えられ、前記溶接又はロウ付けによる固着部分に応力を生じる。その結果、固着部分が疲労して破断され、測温センサーが金型の挿着孔から脱落してしまい、所期の目的を達し得ないという問題がある。
【０００６】
更に、従来装置の場合、弾性部材を介して金型の挿着孔に回転不能に固定された測温素子に対して、補償導線が揺れ動きながら捩じれるため、断線の虞れがあるという問題もある。
【０００７】
【課題を解決するための手段】
本発明は、上記課題を解決した測温センサーの保持装置を提供するものであり、その手段として構成したところは、挿着対象物の挿着孔に挿入される測温素子と、該測温素子から延長された補償導線を備える測温センサーであり、前記挿着孔に対して測温素子を外方に弾発付勢された弾性部材を介して挿脱自在に挿着する構成において、測温素子に遊転スリーブを回転自在に外挿せしめ、該遊転スリーブの外周に前記弾性部材を取付けて成る点にある。
【０００８】
上記構成において、測温素子が遊転スリーブから抜け落ちないように抜止め手段を設ける必要があるが、単なる抜止め手段に加えて、測温素子による安定した測温を可能にするためには、金型等の挿着孔の内部で測温素子が軸方向に自由に移動しないように構成することが望ましい。このため、測温素子と遊転スリーブが相互に軸方向に移動することを防止するストッパーを設けるのが好ましい。
【０００９】
【発明の実施の形態】
以下図面に基づいて本発明の好ましい実施形態を詳述する。
【００１０】
図１において、測温センサー１を挿入するための挿着孔２を設けた挿着対象物３は、ガラス製品や樹脂製品等を成形するための金型４を例示しており、図例の場合、挿着孔２は、金型４の外部からキャビティ５に向けて貫通する大径孔２ａと小径孔２ｂにより構成されている。
【００１１】
図１及び図２に示すように、測温センサー１は、先端に測温部６ａを設けたシース熱電対から成る測温素子６と、該測温素子６から延長された補償導線７を備えており、測温素子６と補償導線７を接続スリーブ８により接続している。尚、接続スリーブ８は、一方の端部８ａを測温素子６の尾端にカシメ固着し、他方の端部にコイルスプリングから成る弾性保持筒９を固着しており、該弾性保持筒９により接続スリーブ８の近傍において補償導線７の屈折を防止する。
【００１２】
測温素子６は、挿着孔２の大径孔２ａに臨む部位に遊転スリーブ１０を回転自在に外挿しており、該遊転スリーブ１０の外周には軸方向に沿って弾性部材１１を取付けている。弾性部材１１は、図例の場合、弓状に湾曲した板ばねから構成されているが、測温素子６を挿着孔２に対して挿入し又は抜出す際には内方に弾性変形し、挿着孔２に定置した状態では外方に弾発付勢され挿着孔２の内壁に圧接するものであれば良く、板ばねに限定されない。
【００１３】
弾性部材１１を板ばねにより構成した場合、板ばねの両端を遊転スリーブ１０に溶接又はロウ付け等により固着しても良いが、図示のように測温素子６の先端側に位置する板ばねの一方の端部が、遊転スリーブ１０に溶接又はロウ付け等の固着手段１２を介して固定された固定部１１ａを形成し、他方の端部１１ｂが、遊転スリーブ１０に弾接された自由端部１１ｂを形成するように構成すれば、自由端部１１ｂにより板ばねの弾性変形が容易となる。
【００１４】
弾性部材１１は、図２に実線で示すように、遊転スリーブ１０外周の少なくとも１個所に１個を設ければ良いが、鎖線で示すように、周方向にわたり複数個所に複数個を設けても良い。
【００１５】
遊転スリーブ１０は、測温素子６の外周面に沿って周方向に回転自在であり、従って、遊転スリーブ１０を弾性部材１１を介して挿着孔２に固定した状態で、測温素子６は図２に矢印で示すような時計針方向Ｒと反時計針方向Ｌとの何れの方向にも自由に回転できる。
【００１６】
ところで、測温素子６による安定した測温を可能にするためには、金型４の挿着孔２の内部において測温素子６が軸方向に移動することを阻止し、測温部６ａを定置せしめるように構成することが望ましい。このため、測温素子６と遊転スリーブ１０の相互間において、このような軸方向の移動を阻止するストッパー１３、１４が設けられている。図示実施例の場合、ストッパー１３、１４は、測温素子６にカシメ等の固着部１３ａ、１４ａを介して固着され、遊転スリーブ１０の両端に近接して臨む一対の環状部材ないし筒状部材により構成されている。従って、遊転スリーブ１０の両端とストッパー１３、１４との間に形成されるクリアランスＣ、Ｃは可及的小さく形成される。そこで、図２に矢印で示すように、測温素子６の挿入方向Ｆの移動は、一方のストッパー１３が遊転スリーブ１０の端縁（図示左側端縁）に衝当することにより阻止され、測温素子６の抜出方向Ｂの移動は、他方のストッパー１４が遊転スリーブ１０の端縁（図示右側端縁）に衝当することにより阻止される。
【００１７】
【発明の効果】
請求項１に記載の本発明によれば、測温センサー１は、弾性部材１１の弾性変形を介して測温素子６を挿着孔２に挿脱自在に挿入できると共に、挿入状態において弾性部材１１が挿着孔２の内壁に圧接され、測温素子６を固定保持する。この際、測温素子６に遊転スリーブ１０を回転自在に外挿せしめ、該遊転スリーブ１０に弾性部材１１を取付けた構成であるから、弾性部材１１により遊転スリーブ１０が挿着孔２に固定される一方、測温素子６は遊転スリーブ１０に対して回転自在である。このため、金型等の挿着対象物３の動きにより補償導線７が揺れ動き、測温素子６に回転力を与えるときでも、これに追従して測温素子６が自由に回転するので、従来のように弾性部材１１の溶接又はロウ付け部分が疲労等により破断して測温素子６を脱落せしめる虞れはないという効果がある。更に、補償導線７に追従して測温素子６の自由な回転を許すので、熱電対や補償導線が断線する虞れはないという利点がある。
【００１８】
そして、請求項２に記載の本発明によれば、測温素子６と遊転スリーブ１０が相互に軸方向に移動することを防止するストッパー１３、１４を設けた構成であるから、測温素子６の測温部６ａが金型等における所望の測温位置に定置され、安定かつ正確な測温を可能にするという効果がある。
【図面の簡単な説明】
【図１】本発明の１実施形態に基づいて測温センサーを金型に挿着した状態を示す側面図である。
【図２】本発明の１実施形態を備えた測温センサーを示す拡大側面図である。
【符号の説明】
１    測温センサー
２    挿着孔
３    挿着対象物
４    金型
６    測温素子
７    補償導線
１０    遊転スリーブ
１１    弾性部材
１１ａ  固定部
１１ｂ  自由端部
１２    固着手段（溶接又はロウ付け）
１３、１４  ストッパー
【図１】
0004716611.tif 000002
【図２】
0004716611.tif 000003